(57)【要約】【課題】  下段が縮納された状態で横方向から外力が印加されても、歪が残らないようにする。【解決手段】  伸縮アンテナ１は、可撓性を有する線状の第３エレメント１２と、第３エレメント１２が内部に収納可能とされて、第３エレメントに対して摺動自在に伸縮されるパイプ状の第２エレメントと、第２エレメント１１が内部に収納可能とされて、第２エレメントに対して摺動自在に伸縮されるパイプ状の第１エレメント１０とを備えている。第２エレメント１１を縮めて、第３エレメント１２内に第２エレメント１１を収納し終わった際に、第３エレメント１２にクリアランスＬｓが生じるように、第３エレメント１２の長さが第２エレメント１１の長さより長くされている【選択図】  図２
2010258797.tif 000002
【特許請求の範囲】
【請求項１】
可撓性を有する線状の下部エレメントと、
該下部エレメントが内部に収納可能とされて、前記下部エレメントに対して摺動自在に伸縮されるパイプ状の上部エレメントとを、少なくとも備え、
前記上部エレメントを縮めて、前記下部エレメント内に前記上部エレメントを収納し終わった際に、前記下部エレメントの一部が前記上部エレメントの下端から露出するように、前記下部エレメントの長さが前記上部エレメントの長さより長くされていることを特徴とする伸縮アンテナ。
【請求項２】
前記下部エレメントは、可撓性を有する線材の先端に、外周面にスプリングが設けられている下部ストッパーが嵌着されて構成されており、前記上部エレメントは、内周面に前記スプリングが摺動自在に弾性的に当接されているエレメントパイプと、該エレメントパイプの先端に嵌着された上部ストッパーとから構成されており、前記上部エレメントを縮めて、前記下部エレメント内に前記上部エレメントを収納した際に、前記上部ストッパーの下面が前記下部ストッパーの上面に当接することにより、収納し終わるようにされていることを特徴とする請求項１記載の伸縮アンテナ。
【請求項３】
前記上部エレメントが内部に収納可能とされて、前記上部エレメントに対して摺動自在に伸縮されるパイプ状の最上部エレメントを、さらに備えることを特徴とする請求項１記載の伸縮アンテナ。
【発明の詳細な説明】
【技術分野】
【０００１】
本発明は、少なくとも受信機能を有する電子機器、特に地上波デジタルテレビ放送を受信することのできる携帯電話機等に備えられる伸縮可能なアンテナに関する。
【背景技術】
【０００２】
携帯電話機が普及しているが、この携帯電話機においては通話や情報を送受信するためにアンテナが備えられている。アンテナは携帯電話機の筐体に内蔵されていたり、筐体の側面に沿って取り付けられている。ところで、近年地上波デジタルテレビ放送が開始されて、地上デジタルテレビジョン放送の１セグメント部分受信サービスを受信することのできる携帯電話機も知られている。この１セグメント部分受信サービスを効率よく受信すると共に、待ち受け時には携帯に便利なように、アンテナは携帯電話機の筐体に対して伸縮自在とされている。
【０００３】
従来の伸縮アンテナはテレスコープ式とされており、最上段の素子を除いてパイプ状とされて、上段の素子はその下段の素子に摺動自在に収納できるようにされて、伸縮自在なアンテナとされている。しかしながら、このような伸縮アンテナでは伸張状態の伸縮アンテナにおいて横方向から加わった外力を吸収できる限度が低くされており、外力が印加された際にパイプ状の素子が折れ曲がって折損する欠点があった。
この欠点を解決した従来の伸縮アンテナが知られている。この従来の伸縮アンテナは、弾力性を有する材料で形成されている線状のホイップアンテナ部が下段とされ、このホイップアンテナ部の先端側が挿入されており、ホイップアンテナ部に沿ってスライド自在にホイップアンテナ部に保持されている上段の筒状アンテナ部とから構成されている。筒状アンテナ部をホイップアンテナ部に対して上方にスライドすることにより、伸縮アンテナが伸張され、筒状アンテナ部をホイップアンテナ部に対して下方へスライドすることにより、伸縮アンテナが収納されるようになる。このような伸縮アンテナでは、外力による応力が集中する機器筐体と伸縮アンテナとの接合部分は、弾性を有するホイップアンテナ部とされているので、伸張状態の伸縮アンテナに横方向から外力が加わった際に、ホイップアンテナ部がしなることで外力を吸収し、外力がなくなると元の自立状態にもどるようになる。
【先行技術文献】
【特許文献】
【０００４】
【特許文献１】特許第２７３１１８８号公報
【発明の概要】
【発明が解決しようとする課題】
【０００５】
従来の伸縮アンテナは２段とされていたが、従来の伸縮アンテナを適用した３段の伸縮アンテナ１００の構成の一例を図１４ないし図１６に示す。図１４は伸縮アンテナ１００を伸張した状態を示す図であり、図１５は伸縮アンテナ１００の３段目を縮納した状態を示す図であり、図１６は伸縮アンテナ１００を縮納した状態を示す図である。
これらの図に示す伸縮アンテナ１００は、金属製のパイプ状とされた第１エレメント２１０と、第１エレメント２１０内に下から挿入され、第１エレメント２１０に摺動自在に挿通されている第２エレメント２１１と、第２エレメント２１１内に下から挿入され、第２エレメント２１１に摺動自在に挿通されている第３エレメント２１２とを備えている。第２エレメント２１１も金属製のパイプ状とされており、第１エレメント２１０内に収納できるように第１エレメント２１０より若干小さい外径とされている。第３エレメント２１２は可撓性を有する線状の金属材料で作成されている。第３エレメント２１２の下端はアンテナ基部２１３に固着されており、アンテナ基部２１３は枢軸２１３ａを介して取付具２１４に枢支されている。取付具２１４が、携帯電話機等の無線機器の筐体に取り付けられた際に、取付具２１４に枢支されている伸縮アンテナ１００は筐体に対して回動可能に取り付けられるようになる。図１４に示す伸張状態の伸縮アンテナ１００に横方向から外力が加わった際に、可撓性を有する第３エレメント２１２がしなることで外力を吸収し、外力がなくなると伸縮アンテナ１００は元の直立状態にもどるようになる。
【０００６】
図１５に示す３段目の第３エレメント２１２を第２エレメント２１１内に収納した状態における伸縮アンテナ１００の詳細構成を断面図で図１７に示す。
図１７に示すように、第３エレメント２１２は、アンテナ基部２１３内に下部が嵌着されて固着されている線状の第３エレメント導体２４０を有し、この第３エレメント導体２４０の先端部に第３ストッパー２４１が嵌着されている。第３ストッパー２４１の下部と上部との間の外周面の径が若干細くされて、この部位に中央部が外側に膨出されたドラム状のスプリング２４２が装着されている。このスプリング２４２の外周面が、第３エレメント２１２が収納される第２エレメント２１１を構成している第２エレメントパイプ２３０の内周面に弾性的に当接している。これにより、第２エレメント２１１は第３エレメント２１２に対して摺動自在に伸縮できるようになる。また、第２エレメントパイプ２３０の下端と、下端より若干上の部位に絞り加工が施されて内側に絞られている。第２エレメント２１１を伸張した際には、この絞られた部位に第３ストッパー２４１の下端が当接されて、それ以上は第２エレメント２１１を伸張できないようになる。
【０００７】
第２エレメントパイプ２３０の上端から第２ストッパー２３１が嵌挿されて、第２エレメントパイプ２３０の上部をカシメることにより、第２ストッパー２３１が第２エレメントパイプ２３０の先端に固着されている。さらに、第２エレメントパイプ２３０に中央部が外側に膨出されたドラム状のスプリング２３２が嵌挿されていると共に、スプリング２３２に続いてリング部２３３が嵌挿されている。そして、第２ストッパー２３１の上部の径が第２エレメントパイプ２３０の径より若干大きくされていることから、スプリング２３２は第２ストッパー２３１とリング部２３３との間に配置されるようになる。このスプリング２３２の外周面が、第２エレメント２１１が収納される第１エレメント２１０を構成している第１エレメントパイプ２２０の内周面に弾性的に当接している。これにより、第１エレメント２１０は第２エレメント２１１に対して摺動自在に伸縮できるようになる。第１エレメントパイプ２２０の下端には、絞り加工が施されて内側に絞られている。第１エレメント２１０を伸張した際には、この絞られた部位にリング部２３３の下端が当接されて、それ以上は第１エレメント２１０を伸張できないようになる。
【０００８】
図１７に示すように、３段目の第３エレメント２１２を第２エレメント２１１内に収納した状態においては、第２エレメントパイプ２３０の下端がアンテナ基部２１３の上端に当接して、第２エレメント２１１内に第３エレメント２１２が収納されるようになる。この場合、第３エレメント２１２の第３ストッパー２４１までの長さＬ１０１は、第２エレメント２１１の第２ストッパー２３１までの長さＬ１０２より短くなっており、第３ストッパー２４１の上面と第２ストッパー２３１の下面との間にクリアランスＬｓｏが生じている。
上記した３段の伸縮アンテナ１００においては、図１５および図１７に示す３段目の第３エレメント２１２を第２エレメント２１１内に収納した状態で使用することがある。この場合に、図１８に示すように伸縮アンテナ１００の横方向から外力Ｆが印加されると、第２エレメント２１１はパイプ状とされて折れ曲がって外力Ｆを吸収することができないことから、第２エレメント２１１の下端に相当する第３エレメント２１２の部位に集中的に大きな応力が印加されることになる。この結果、図１８に示すように伸縮アンテナ１００が折れ曲がるようになるが、このように一点に応力が集中して印加された第３エレメント２１２の部位は、第３エレメント導体２４０が可撓性を有する線材で作成されていたとしても塑性変形してしまうようになる。従って、外力Ｆが取り去られた後においては、図１９に示すように第３エレメント２１２に歪が残り折れ曲がった状態になるという問題点があった。図１９に示す例では、角度θの歪が第３エレメント導体２４０に残っている。
【０００９】
そこで、本発明は下段が縮納された状態で横方向から外力が印加されても、歪の残らない伸縮アンテナを提供することを目的としている。
【課題を解決するための手段】
【００１０】
本発明のアンテナは、可撓性を有する線状の下部エレメントと、該下部エレメントが内部に収納可能とされて、前記下部エレメントに対して摺動自在に伸縮されるパイプ状の上部エレメントとを少なくとも備え、前記上部エレメントを縮めて、前記下部エレメント内に前記上部エレメントを収納し終わった際に、前記下部エレメントの一部が前記上部エレメントの下端から露出するように、前記下部エレメントの長さが前記上部エレメントの長さより長くされていることを最も主要な特徴としている。
【発明の効果】
【００１１】
本発明によれば、下部エレメント内に上部エレメントを収納し終わった状態において横方向から外力が印加されても、露出している下部エレメントの全体が撓んで外力を吸収するようになることから、下部エレメントの一点に応力が集中しないようになり、外力が取り去られた際に下部エレメントに歪が残ることなく元の直立状態に戻るようになる。
【図面の簡単な説明】
【００１２】
【図１】本発明の実施例の伸縮アンテナの構成を示す正面図および側面図である。
【図２】本発明にかかる伸縮アンテナにおいて、３段目を縮納した状態の構成を示す図である。
【図３】本発明にかかる伸縮アンテナにおいて、全段を縮納した状態の構成を示す図である。
【図４】本発明にかかる伸縮アンテナにおいて、３段目を縮納した状態の詳細構成を示す断面図である。
【図５】本発明にかかる伸縮アンテナにおいて、３段目を縮納した状態で横方向から外力が印加された状態を示す図である。
【図６】本発明の伸縮アンテナにおける第３エレメント導体の構成を示す図である。
【図７】本発明の伸縮アンテナにおける第３ストッパーの構成を示す図である。
【図８】本発明の伸縮アンテナにおけるスプリングの構成を示す図である。
【図９】本発明の伸縮アンテナにおける第２エレメントパイプの構成を示す図である。
【図１０】本発明の伸縮アンテナにおける第２ストッパーの構成を示す図である。
【図１１】本発明の伸縮アンテナにおける他のスプリングの構成を示す図である。
【図１２】本発明の伸縮アンテナにおける第１エレメントパイプの構成を示す図である。
【図１３】本発明の伸縮アンテナにおけるトップ部の構成を示す正面図および上面図である。
【図１４】従来の伸縮アンテナの構成を示す図である。
【図１５】従来の伸縮アンテナにおいて、３段目を縮納した状態の構成を示す図である。
【図１６】従来の伸縮アンテナにおいて、全段を縮納した状態の構成を示す図である。
【図１７】従来の伸縮アンテナにおいて、３段目を縮納した状態の詳細構成を示す断面図である。
【図１８】従来の伸縮アンテナにおいて、３段目を縮納した状態で横方向から外力が印加された状態を示す図である。
【図１９】従来の伸縮アンテナにおいて、３段目を縮納した状態で横方向からの外力が取り去られた際の状態を示す図である。
【発明を実施するための形態】
【００１３】
本発明の実施例である伸縮アンテナ１の全体の構成を図１ないし図３に示す。図１（ａ）（ｂ）は伸縮アンテナ１を伸張した状態を示す正面図および側面図であり、図２は伸縮アンテナ１の３段目を縮納した状態を示す図であり、図３は伸縮アンテナ１の全段を縮納した状態を示す図である。
これらの図に示す伸縮アンテナ１は、先端にトップ部２１が嵌着されており、金属製のパイプ状とされた第１エレメント１０と、第１エレメント１０内に下から挿入され、第１エレメント１０に摺動自在に挿通されている第２エレメント１１と、第２エレメント１１内に下から挿入され、第２エレメント１１に摺動自在に挿通されている第３エレメント１２を備えている。第２エレメント１１も金属製のパイプ状とされており、第１エレメント１０内に収納できるように第１エレメント１０より若干小さい外径とされている。第３エレメント１２は超弾性合金等の可撓性を有する線状の金属材料で作成されている。第３エレメント１２の下端はアンテナ基部１３に固着されており、アンテナ基部１３は枢軸１３ａを介して取付具１４に枢支されている。取付具１４は、携帯電話機等の無線機器の筐体に取り付けられる。取付具１４が筐体に取り付けられた際に、取付具１４に枢支されている伸縮アンテナ１が枢軸１３ａに直交する面内において筐体に対し回動可能に取り付けられるようになる。
【００１４】
本発明の実施例にかかる伸縮アンテナ１は、図１に示すように全段を伸張した状態で使用されたり、３段目の第３エレメント１２を第２エレメント１１内に収納した状態で使用されることがある。また、不使用時には図３に示すように全段が縮納される。
ここで、本発明の実施例にかかる伸縮アンテナ１において、３段目の第３エレメント１２を第２エレメント１１内に収納した状態の詳細構成を断面図で図４に示す。
図４に示すように、第３エレメント１２は、アンテナ基部１３内に下部が嵌着されて固着されている線状の第３エレメント導体４０を有し、この第３エレメント導体４０の先端部に第３ストッパー４１が嵌着されている。第３エレメント導体４０の構成を図６に示す。図６に示す第３エレメント導体４０は、超弾性合金等の線材により作成された本体部４０ａから構成されており、両端部にローレット部４０ｂが形成されている。第３エレメント導体４０におけるローレット部４０ｂが形成されている下端は、アンテナ基部１３に嵌着されて固着されており、ローレット部４０ｂが形成されている先端には、第３ストッパー４１が嵌着されている。
【００１５】
次に、第３ストッパー４１の構成を示す半断面図を図７に示す。図７に示すように、第３ストッパー４１は金属棒を加工して作成されており、本体部４１ａの上端部に外径が若干大きくされた上部拡径部４１ｂが設けられ、下端部に外径が若干大きくされた下部拡径部４１ｃが設けられて、上部拡径部４１ｂと下部拡径部４１ｃとの間に外径が若干細くされた嵌挿部４１ｅが形成されている。また、第３ストッパー４１の下面には所定深さの嵌挿孔４１ｄが形成されており、この嵌挿孔４１ｄ内に第３エレメント導体４０の先端が嵌着されて一体化されている。第３ストッパー４１の若干外径が細くされた嵌挿部４１ｅには、中央部が外側に膨出されたドラム状のスプリング４２が装着されている。このスプリング４２の構成を示す半断面図を図８に示す。図８に示すスプリング４２はリン青銅等の弾性を有する金属板を加工して、断面が円形に折曲されている。この際に、上部と下部にリング状部４２ｂを形成すると共に、２つのリング状部４２ｂの間に所定間隔でスリットを形成してバネとして作用するように外側に膨出するよう加工されて、バネ部４２ａが形成されている。このスプリング４２が嵌挿部４１ｅに装着されると、スプリング４２の端部が若干径が大きくされている上部拡径部４１ｂと下部拡径部４１ｃとにそれぞれ係止されて、スプリング４２は第３ストッパー４１から抜け出ないようになる。
【００１６】
このスプリング４２のバネ部４２ａが、第３エレメント１２が収納される第２エレメント１１を構成している第２エレメントパイプ３０の内周面に弾性的に当接している。これにより、第２エレメント１１は第３エレメント１２に対して摺動自在に弾性を持って伸縮できるようになる。第２エレメントパイプ３０の構成を図９に示す。図９に示す第２エレメントパイプ３０は、金属製のパイプを加工して作成されたパイプ本体部３０ａから構成されており、第２エレメントパイプ３０の下端と、下端より若干上の部位、および、上端から若干下の部位に絞り加工が施されて内側に絞られた絞り部３０ｂがそれぞれ形成されている。第２エレメント１１を伸張した際には、下部に形成されている絞り部３０ｂに第３ストッパー４１の下端が当接されて、それ以上は第２エレメント１１を伸張できないようになる。なお、第２エレメントパイプ３０には、第３エレメント導体４０が収納される空間となる貫通孔３０ｃが全体にわたり形成されている。この第２エレメントパイプ３０の上端から第２ストッパー３１が嵌挿されて、第２エレメントパイプ３０の上部の絞り部３０ｂをカシメることにより、第２ストッパー３１が第２エレメントパイプ３０の先端に固着されている。
【００１７】
第２ストッパー３１の構成を図１０に示す。図１０に示す第２ストッパー３１は、金属棒を加工して作成されており、本体部３１ａの一端に外径の大きい鍔部３１ｂが形成され、鍔部３１ｂに連接されて第２エレメントパイプ３０の内径にほぼ等しい外径の円筒部が形成されている。本体部３１ａのほぼ中央には外径が若干細くされたリング状の溝部３１ｃが形成されている。この第２ストッパー３１を第２エレメントパイプ３０の上端から嵌挿して、第２エレメントパイプ３０の上部の絞り部３０ｂを溝部３１ｃにカシメることにより、第２ストッパー３１が鍔部３１ｂが上端から突出するように第２エレメントパイプ３０の先端に固着される。
【００１８】
さらに、第２エレメントパイプ３０に中央部が外側に膨出されたドラム状のスプリング３２が嵌挿されていると共に、スプリング３２に続いてリング部３３が嵌挿されている。このスプリング３２の構成を示す半断面図を図１１に示す。図１１に示すスプリング３２はリン青銅等の弾性を有する金属板を加工して、断面が円形に折曲されている。この際に、上部と下部にリング状部３２ｂを形成すると共に、２つのリング状部３２ｂの間に所定間隔でスリットを形成してバネとして作用するように外側に膨出するよう加工されて、バネ部３２ａが形成されている。いる。そして、第２ストッパー３１の鍔部３１ｂの径が第２エレメントパイプ３０の外径より若干大きくされていることから、スプリング３２は第２ストッパー３１とリング部２３３との間に配置されるようになる。このスプリング３２のバネ部３２ａが、第２エレメント１１が収納される第１エレメント１０を構成している第１エレメントパイプ２０の内周面に弾性的に当接している。第１エレメントパイプ２０の構成を図１２に示す。図１２に示す第１エレメントパイプ２０は、金属製のパイプを加工したパイプ本体部２０ａから構成され、パイプ本体部２０ａの下端に絞り加工が施されて内側に絞られた絞り部が形成されている。第１エレメント１１を伸張した際には、下部に形成されている絞り部に第２エレメントパイプ３０に嵌挿されているリング部３３の下端が当接されて、それ以上は第１エレメント１０を伸張できないようになる。なお、パイプ本体部２０ａには、第２エレメントパイプ３０が収納される空間となる貫通孔２０ｂが全体にわたり形成されている。この第１エレメントパイプ２０の上端にはトップ部２１が嵌着されている。これにより、第１エレメント１０は第２エレメント１１に対して弾性を持って摺動自在に伸縮できるようになる。第１エレメント１０を伸張した際には、下端の絞り部にリング部３３の下端が当接されて、それ以上は第１エレメント１０を伸張できないようになる。
【００１９】
トップ部２１の構成を図１３（ａ）（ｂ）に示す。図１３（ａ）はトップ部２１の構成を示す正面図であり、図１３（ｂ）はトップ部２１の構成を示す上面図である。これらの図に示すトップ部２１は、金属棒を加工して作成されており、本体部２１ａの上部に外径が大きくされ上縁が面取り加工された頭部２１ｂが形成されており、頭部２１ｂの下には外径が細くされた溝部２１ｃが形成されている。溝部２１ｃに続く本体部２１ａの外径は第１エレメントパイプ２０の内径にほぼ等しくされた嵌挿部２１ｄが形成されており、嵌挿部２１ｄの外周面の上部には複数の突起２１ｅが縦方向に形成されている。このトップ部２１の嵌挿部２１ｄを第１エレメントパイプ２０の上端から圧入していくことにより、嵌挿部２１ｄの突起２１ｅが第１エレメントパイプ２０の内周面に圧接されてトップ部２１が第１エレメントパイプ２０の上端に嵌着される。頭部２１ｂの外径は第１エレメントパイプ２０の外径とほぼ同じか若干大きくされて、頭部２１ｂを把持して第１エレメント１０を伸張できるようになる。
【００２０】
このように構成された伸縮アンテナ１では、図２に示すように、３段目の第３エレメント１２を第２エレメント１１内に収納した状態においては、図４に示すように第２エレメントパイプ３０の上端に固着されている第２ストッパー３１の下面が、第３エレメント導体４０の上端に固着されている第３ストッパー４１の上面に当接するまで、第２エレメント１１内に第３エレメント１２が収納されていくようになる。この場合、第３エレメント１２のアンテナ基部１３の上端から第３ストッパー４１の上面までの長さＬ１は、第２エレメント１１の第２ストッパー３１の上面までの長さＬ２より長くなっている。このため、第２ストッパー３１の下面が第３ストッパー４１の上面に当接した際に、第２エレメントパイプ３０の下端とアンテナ基部１３の上端との間に第２ストッパー３１の長さを超えるクリアランスＬｓが生じるようになる。
【００２１】
このクリアランスＬｓの作用について図５を参照して説明する。本発明にかかる３段の伸縮アンテナ１においては、図２および図４に示すように３段目の第３エレメント１２を第２エレメント１１内に収納した状態で使用することがある。この場合に、図５に示すように伸縮アンテナ１の横方向から外力Ｆが印加されると、第２エレメント１１はパイプ状とされて折れ曲がって外力Ｆを吸収することができないことから、第２エレメント１１の下端からアンテナ基部１３の上端までの第３エレメント１２の部位に応力が集中して印加され、これにより図５に示すように伸縮アンテナ１が折れ曲がって外力Ｆを吸収するようになる。この場合、上記したクリアランスＬｓの全体に応力が印加されることから、可撓性を有する線材で作成されている第３エレメント導体４０は塑性変形することなく、撓むことで外力Ｆを吸収することができる。従って、図５に示す外力Ｆが取り去られた後においては、伸縮アンテナ１には歪が残ることがなく図２に示す直立状態に復帰するようになる。なお、クリアランスＬｓを３ｍｍ未満とすると、塑性変形を起こす恐れが生じることから、クリアランスＬｓは少なくとも３ｍｍ以上とれるようにしている。
【産業上の利用可能性】
【００２２】
以上の説明では、地上デジタルテレビジョン放送の１セグメント部分受信サービスを受信することのできる携帯電話機等の伸縮アンテナとして説明したが、これに限るものではなく本発明にかかる伸縮アンテナは、伸縮可能なアンテナ一般に適用することができるものである。
また、本発明の伸縮アンテナは第１エレメント１０ないし第３エレメント１２を備える３段の伸縮アンテナとしたが、アンテナ部分は２段に伸縮可能な伸縮アンテナとしても良い。この場合、第１エレメントパイプ２０およびスプリング３２，リング部３３を省略する構成とし、第２ストッパー３１に替えて、第２エレメントパイプ３０の内径に合わせたトップ部２１を第２エレメントパイプ３０の上端に嵌着する。このように、２段構成の伸縮アンテナ１としても、第２エレメント１１内に第３エレメント１２を収納した状態においては、第３エレメント１２の下部にクリアランスＬｓが生じることから、上記したように横方向から外力が印加されても、伸縮アンテナ１には歪が残ることがなく図２に示す直立状態に復帰するようになる。
【符号の説明】
【００２３】
１  伸縮アンテナ、１０  第１エレメント、１１  第２エレメント、１２  第３エレメント、１３  アンテナ基部、１３ａ  枢軸、１４  取付具、２０  第１エレメントパイプ、２０ａ  パイプ本体部、２０ｂ  貫通孔、２１  トップ部、２１ａ  本体部、２１ｂ  頭部、２１ｃ  溝部、２１ｄ  嵌挿部、２１ｅ  突起、３０  第２エレメントパイプ、３０ａ  パイプ本体部、３０ｂ  絞り部、３１ｃ  貫通孔、３１  第２ストッパー、３１ａ  本体部、３１ｂ  鍔部、３１ｃ  溝部、３２  スプリング、３２ａ  バネ部、３２ｂ  リング状部、３３  リング部、４０  第３エレメント導体、４０ａ  本体部、４０ｂ  ローレット部、４１  ストッパー、４１ａ  本体部、４１ｂ  上部拡径部、４１ｃ  下部拡径部、４１ｄ  嵌挿孔、４１ｅ  嵌挿部、４２  スプリング、４２ａ  バネ部、４２ｂ  リング状部、１００  伸縮アンテナ、２１０  第１エレメント、２１１  第２エレメント、２１２  第３エレメント、２１３  アンテナ基部、２１３ａ  枢軸、２１４  取付具、２２０  第１エレメントパイプ、２３０  第２エレメントパイプ、２３１  第２ストッパー、２３２  スプリング、２３３  リング部、２４０  第３エレメント導体、２４１  第３ストッパー、２４２  スプリング
【図１】
2010258797.tif 000003
【図２】
2010258797.tif 000004
【図３】
2010258797.tif 000005
【図４】
2010258797.tif 000006
【図５】
2010258797.tif 000007
【図６】
2010258797.tif 000008
【図７】
2010258797.tif 000009
【図８】
2010258797.tif 000010
【図９】
2010258797.tif 000011
【図１０】
2010258797.tif 000012
【図１１】
2010258797.tif 000013
【図１２】
2010258797.tif 000014
【図１３】
2010258797.tif 000015
【図１４】
2010258797.tif 000016
【図１５】
2010258797.tif 000017
【図１６】
2010258797.tif 000018
【図１７】
2010258797.tif 000019
【図１８】
2010258797.tif 000020
【図１９】
2010258797.tif 000021